(57)【要約】      （修正有）【課題】電動輸送装置のバッテリを充電する方法及びエネルギーステーションを提供する。【解決手段】バッテリを充電する方法は、基準バッテリ識別子を記憶するクラウドサーバと通信することができるエネルギーステーションによって実施される。該方法は、ユーザエンドのバッテリの提供されたバッテリ識別子を検出して、提供されたバッテリ識別子をクラウドサーバに送信することにより、クラウドサーバが提供されたバッテリ識別子と一致する１つの基準バッテリ識別子を判定すると共に、このように判定された１つの基準バッテリ識別子が第１のリースコードと第２のリースコードとのどちらに対応するかを判定することを可能にし、そして、１つの基準バッテリ識別子が第１のリースコードに対応することがクラウドサーバによって判定される場合に、バッテリを充電するように制御される。【選択図】図５
2019198215.tif 000002
【特許請求の範囲】
【請求項１】
エネルギーステーションによって実行されるバッテリを充電する方法であって、前記エネルギーステーションは、インターネットを介してクラウドサーバ（７）と通信することができ、前記クラウドサーバ（７）は、それぞれがバッテリに対応すると共に第１のリースコード及び第２のリースコードのいずれか一方に対応する複数の基準バッテリ識別子を記憶しており、前記方法は、
ユーザエンドのバッテリ（２）の提供されたバッテリ識別子を検出して、そして、前記提供されたバッテリ識別子を前記クラウドサーバ（７）に送信することにより、前記クラウドサーバ（７）が前記提供されたバッテリ識別子と一致する１つの前記基準バッテリ識別子を判定すると共に、このように判定された１つの前記基準バッテリ識別子が前記第１のリースコードと前記第２のリースコードとのどちらに対応するかを判定することを可能にするステップ（ａ）と、
このように判定された前記１つの前記基準バッテリ識別子が前記第１のリースコードに対応することが前記クラウドサーバ（７）によって判定される場合に、前記ユーザエンドの前記バッテリ（２）を充電するように制御されるステップ（ｂ）と、を含む、
ことを特徴とする、方法。
【請求項２】
前記エネルギーステーションは、複数の充電ポート（４）と、それぞれ前記充電ポート（４）に対応すると共に、ロック状態とロック解除状態との間に切り替えることができる複数のロックユニット（５）と、を更に具え、ステップ（ｂ）は、
前記ユーザエンドの前記バッテリ（２）を充電しようとしている１つの前記充電ポート（４）に対応している１つの前記ロックユニット（５）によって、このように判定された前記１つの前記基準バッテリ識別子が前記第１のリースコードに対応することが前記クラウドサーバ（７）によって判定される場合に、前記クラウドサーバ（７）によって送信されたチャージ信号に従って前記エネルギーステーションによって生成されたロック信号に基づいて前記ロック状態に切り替えることにより、前記ユーザエンドの前記バッテリ（２）を前記１つの前記充電ポート（４）にロックすると共に、前記ユーザエンドの前記バッテリ（２）を充電するために、前記ユーザエンドの前記バッテリ（２）と前記１つの前記充電ポート（４）との間の電気接続を確立するステップを含む、
請求項１に記載の方法。
【請求項３】
前記エネルギーステーションは、インターネットを介して前記クラウドサーバ（７）と通信することができるコントローラ（３）を更に具え、前記クラウドサーバ（７）は、それぞれが少なくとも１つの基準バッテリ識別子に対応する複数のユーザエンド識別子を更に記憶し、各前記ユーザエンド識別子は電子装置を示し、ステップ（ｂ）に続いて、前記方法は、
前記１つの前記充電ポート（４）が前記ユーザエンドの前記バッテリ（２）を充電した際に、前記クラウドサーバ（７）がピックアップメッセージを前記コントローラ（３）と、このように判定された前記１つの前記基準バッテリ識別子に対応する１つの前記ユーザエンド識別子により示される前記電子装置と、に送信することを可能にするステップ（ｃ）を更に含む、
請求項２に記載の方法。
【請求項４】
前記充電ポート（４）が前記コントローラ（３）と電気的に接続され、前記ステップ（ａ）は、
１つの前記充電ポート（４）により、前記ユーザエンドの前記バッテリ（２）の前記提供されたバッテリ識別子を検出し、そして、前記提供されたバッテリ識別子を前記コントローラ（３）に送信するステップと、
前記コントローラ（３）により、前記提供されたバッテリ識別子を前記クラウドサーバ（７）に送信することにより、前記クラウドサーバ（７）が前記提供されたバッテリ識別子と一致する１つの前記基準バッテリ識別子を判定すると共に、このように判定された１つの前記基準バッテリ識別子が前記第１のリースコードと前記第２のリースコードとのどちらに対応するかを判定することを可能にするステップと、を含む、
請求項３に記載の方法。
【請求項５】
前記ステップ（ｃ）は、
前記１つの前記充電ポート（４）が前記ユーザエンドの前記バッテリ（２）を充電した際に、前記コントローラ（３）により、チャージアップ信号を前記クラウドサーバ（７）に送信することにより、前記クラウドサーバ（７）が前記チャージアップ信号に基づいて前記ピックアップメッセージを前記エネルギーステーションの前記コントローラ（３）と、このように判定された前記１つの前記基準バッテリ識別子に対応する１つの前記ユーザエンド識別子により示される前記電子装置と、に送信することを可能にするステップ、を含む、
請求項４に記載の方法。
【請求項６】
前記ステップ（ｂ）は、
前記コントローラ（３）により、このように判定された前記１つの前記基準バッテリ識別子が前記第１のリースコードに対応することが前記クラウドサーバ（７）によって判定される場合に、前記クラウドサーバ（７）によって送信された前記チャージ信号を受信するサブステップ（ｂ１）と、
前記ユーザエンドの前記バッテリ（２）を充電しようとしている１つの前記充電ポート（４）に対応する前記１つの前記ロックユニット（５）により、前記コントローラ（３）の制御に従って前記チャージ信号に基づいて前記ロック状態に切り替わることにより、前記ユーザエンドの前記バッテリ（２）を充電するために、前記ユーザエンドの前記バッテリ（２）を前記１つの前記充電ポート（４）にロックするサブステップ（ｂ２）と、を含む、
請求項５に記載の方法。
【請求項７】
前記第１のリースコードに対応する１つの前記基準バッテリ識別子、及び、前記第１のリースコードは、１つの統合コードと、２つの個別コードの１つのセットとのいずれか１つとして表されている
請求項１〜請求項６のいずれか一項に記載の方法。
【請求項８】
前記ステップ（ｂ）は、
前記クラウドサーバ（７）からピックアップパスワードを受信することにより、前記ユーザエンドの前記バッテリ（２）を充電するように制御されるステップを含む、
請求項１〜請求項７のいずれか一項に記載の方法。
【請求項９】
インターネットを介してクラウドサーバ（７）と通信することができ、前記クラウドサーバ（７）は、それぞれがバッテリに対応すると共に第１のリースコード及び第２のリースコードのいずれか一方に対応している複数の基準バッテリ識別子を記憶するコントローラ（３）と、
それぞれが前記コントローラ（３）と電気的に接続されている複数の充電ポート（４）であって、そのうちのバッテリ（２）を充電しようとしている１つが、ユーザエンドの前記バッテリ（２）の提供されたバッテリ識別子を検出し、前記提供されたバッテリ識別子を前記クラウドサーバ（７）にリレーする前記コントローラ（３）に前記提供されたバッテリ識別子を送信することにより、前記クラウドサーバ（７）が前記提供されたバッテリ識別子と一致する１つの前記基準バッテリ識別子を判定すると共に、このように判定された前記１つの前記基準バッテリ識別子が前記第１のリースコードと前記第２のリースコードとのどちらに対応するかを判定することを可能にする
ように構成されている複数の充電ポート（４）と、を備えており、
前記コントローラ（３）は、このように判定された前記１つの前記基準バッテリ識別子が前記第１のリースコードに対応すると判定される場合に、前記１つの前記充電ポート（４）を制御して前記ユーザエンドの前記バッテリ（２）を充電するように構成されている、
ことを特徴とする、エネルギーステーション。
【請求項１０】
前記コントローラ（３）は、
前記１つの前記充電ポート（４）が前記ユーザエンドの前記バッテリ（２）を充電した際に、チャージアップ信号を前記クラウドサーバ（７）に送信することにより、前記クラウドサーバ（７）が前記チャージアップ信号に基づいてピックアップメッセージを前記コントローラ（３）とこのように判定された前記１つの前記基準バッテリ識別子に対応する１つの前記ユーザエンド識別子により示される前記電子装置に送信することを可能にするように構成されている、
請求項９に記載のエネルギーステーション。
【請求項１１】
それぞれ前記充電ポート（４）に対応すると共に、ロック状態とロック解除状態との間に切り替えることができる複数のロックユニット（５）を更に備えており、
前記コントローラ（３）は、このように判定された前記１つの前記基準バッテリ識別子が前記第１のリースコードに対応することが前記クラウドサーバ（７）によって判定される場合に、前記クラウドサーバ（７）によって送信されたチャージ信号を受信するように構成され、
前記１つの前記充電ポート（４）に対応している１つの前記ロックユニット（５）は、チャージ信号に基づく前記コントローラ（３）の制御に従って、前記ロック状態に切り替わることにより、前記ユーザエンドの前記バッテリ（２）を前記１つの前記充電ポート（４）にロックすると共に、前記ユーザエンドの前記バッテリ（２）を充電するために、前記ユーザエンドの前記バッテリ（２）と前記１つの前記充電ポート（４）との間の電気接続を確立するように構成されている、
請求項１０に記載のエネルギーステーション。
【請求項１２】
それぞれが前記コントローラ（３）と電気的に接続されていると共に、電動輸送装置を充電するように構成されている複数の充電コネクタ（６）を更に備えている、
請求項９〜請求項１１のいずれか一項に記載のエネルギーステーション。
【請求項１３】
前記第１のリースコードに対応する１つの前記基準バッテリ識別子、及び、前記第１のリースコードは、１つの統合コードと、２つの個別コードの１つのセットとのいずれか一方として表されている、
請求項９〜請求項１２のいずれか一項に記載のエネルギーステーション。
【請求項１４】
前記コントローラ（３）は、前記クラウドサーバ（７）からピックアップパスワードを受信することにより、前記ユーザエンドの前記バッテリ（２）を充電するように制御されるように構成されている、
請求項９〜請求項１３のいずれか一項に記載のエネルギーステーション。
【請求項１５】
各前記基準バッテリ識別子は、ユーザエンド識別子に更に対応し、
且つ、前記エネルギーステーションは、
判定された前記１つの前記基準バッテリ識別子に対応する１つの前記ユーザエンド識別子によって示されると共に、判定された前記１つの前記基準バッテリ識別子が第２のリースコードに対応することが前記クラウドサーバ（７）によって判定される場合にスキャンを実行するように操作される電子装置によってスキャンされるエネルギーステーション識別子を備え、前記電子装置は、前記エネルギーステーション識別子を前記クラウドサーバ（７）に送信し、前記コントローラ（３）は、前記エネルギーステーション識別子に基づいて前記クラウドサーバ（７）によって制御され、前記ユーザエンドの前記バッテリ（２）を前記エネルギーステーションに保存されている他のバッテリと交換することを促す交換メッセージを表示するように構成されている、
請求項９〜請求項１４のいずれか一項に記載のエネルギーステーション。
【請求項１６】
インターネットを介してクラウドサーバ（７）と通信することができ、前記クラウドサーバ（７）は、それぞれがバッテリ及びピックアップパスワードに対応すると共に第１のリースコード及び第２のリースコードのいずれか一方に対応している複数の基準バッテリ識別子を記憶するコントローラ（３）と、
それぞれが前記コントローラ（３）と電気的に接続される複数の充電ポート（４）であって、そのうちの１つが前記第１のリースコードに対応する１つの前記基準バッテリ識別子と一致する提供されたバッテリ識別子を有するユーザエンドのバッテリ（２）を充電するように構成されている複数の充電ポート（４）と、を備えており、
前記コントローラ（３）は、
前記ユーザエンドからの入力を介してピックアップパスワードを取得し、
このように取得された前記ピックアップパスワードを前記クラウドサーバ（７）に送信することにより、前記クラウドサーバ（７）が前記コントローラ（３）から受信した前記ピックアップパスワードが前記クラウドサーバ（７）に記憶されている前記１つの前記基準バッテリ識別子に対応する前記ピックアップパスワードと一致するか否かを判定することを可能にし、
前記コントローラ（３）から受信した前記ピックアップパスワードが前記１つの前記基準バッテリ識別子に対応する前記ピックアップパスワードと一致することが前記クラウドサーバ（７）によって判定される、又は、前記ユーザエンドから取得した前記ピックアップパスワードが前記バッテリ（２）に記憶されているピックアップパスワードと一致することが前記コントローラ（３）によって判定される場合に、前記ユーザエンドの前記バッテリ（２）がピックアップされることを許可するように構成されている、
ことを特徴とする、エネルギーステーション。
【請求項１７】
前記第１のリースコードに対応する１つの前記基準バッテリ識別子、及び、前記第１のリースコードは、１つの統合コードと、２つの個別コードとのいずれか一方として表されている、
請求項１６に記載のエネルギーステーション。
【請求項１８】
インターネットを介してクラウドサーバ（７）と通信するように構成されていて、前記クラウドサーバ（７）は、それぞれがバッテリ及びユーザエンド識別子に対応すると共に第１のリースコード及び第２のリースコードのいずれか一方に対応する複数の基準バッテリ識別子を記憶する、コントローラ（３）と、
それぞれが前記コントローラ（３）と電気的に接続される複数の充電ポート（４）であって、そのうちの１つが前記第１のリースコードに対応する１つの前記基準バッテリ識別子と一致する提供されたバッテリ識別子を有するユーザエンドのバッテリ（２）を充電するように構成されている複数の充電ポート（４）と、を備えており、
前記コントローラ（３）は、
前記ユーザエンドの電子装置によって表示されると共に、前記ユーザエンドのユーザエンド識別子を表すユーザバーコードをスキャンすることにより、前記ユーザエンドの前記ユーザエンド識別子を取得し、
取得された前記ユーザエンド識別子を前記インターネットを介して前記クラウドサーバ（７）に送信することにより、前記クラウドサーバ（７）が前記コントローラ（３）から受信した前記ユーザエンド識別子が前記クラウドサーバ（７）に記憶されている前記１つの前記基準バッテリ識別子に対応する前記ユーザエンド識別子と一致するか否かを判定することを可能にし、
前記コントローラ（３）から受信した前記ユーザエンド識別子が前記１つの前記基準バッテリ識別子に対応する前記ユーザエンド識別子と一致する前記クラウドサーバ（７）によって判定される場合に、前記ユーザエンドの前記バッテリ（２）がピックアップされることを許可するように構成されている、
ことを特徴とする、エネルギーステーション。
【請求項１９】
前記コントローラ（３）は、クイックレスポンス（ＱＲ）コードであると共に、前記ユーザエンドの前記電子装置でアプリケーションプログラムが起動され且つログインされた場合に前記ユーザエンドの前記電子装置によって表示される前記ユーザバーコードをスキャンするように構成されている、
請求項１８に記載のエネルギーステーション。
【請求項２０】
前記第１のリースコードに対応する１つの前記基準バッテリ識別子、及び、前記第１のリースコードは、１つの統合コードと、２つの個別コードの１つのセットとのいずれか一方として表されている、
請求項１８及び請求項１９のいずれか一項に記載のエネルギーステーション。
【請求項２１】
前記コントローラ（３）は、
それぞれがユーザエンド識別子に対応する前記基準バッテリ識別子を記憶し、
前記コントローラ（３）によって取得された前記ユーザエンド識別子が、前記コントローラ（３）に記憶されている前記１つの前記基準バッテリ識別子に対応する前記ユーザエンド識別子と一致するか否かを判定し、
前記コントローラ（３）によって取得された前記ユーザエンド識別子が前記１つの前記基準バッテリ識別子に対応する前記ユーザエンド識別子と一致することが前記コントローラ（３）によって判定される場合に、前記ユーザエンドの前記バッテリ（２）がピックアップされることを許可するように更に構成されている、
請求項１８〜請求項２０のいずれか一項に記載のエネルギーステーション。
【請求項２２】
インターネットを介してクラウドサーバ（７）と通信されるように構成され、前記クラウドサーバ（７）は、それぞれがバッテリ及びユーザエンド識別子に対応すると共に第１のリースコード及び第２のリースコードのいずれか一方に対応する複数の基準バッテリ識別子を記憶する、コントローラ（３）と、
それぞれが前記コントローラ（３）と電気的に接続される複数の充電ポート（４）であって、そのうちの１つが前記第２のリースコードに対応する１つの前記基準バッテリ識別子と一致する提供されたバッテリ識別子を有するバッテリに接続されている複数の充電ポート（４）と、を備えており、
前記コントローラ（３）は、
前記ユーザエンドの電子装置によって表示されると共に、前記ユーザエンドのユーザエンド識別子を表すユーザバーコードをスキャンすることにより、前記ユーザエンドの前記ユーザエンド識別子を取得し、
取得された前記ユーザエンド識別子を前記インターネットを介して前記クラウドサーバ（７）に送信することにより、前記クラウドサーバ（７）が前記コントローラ（３）から受信した前記ユーザエンド識別子が前記１つの前記基準バッテリ識別子に対応する前記ユーザエンド識別子と一致するか否かを判定することを可能にし、
前記コントローラ（３）から受信された前記ユーザエンド識別子が前記１つの前記基準バッテリ識別子に対応する前記ユーザエンド識別子と一致することが前記クラウドサーバ（７）によって判定される場合に、前記１つの前記充電ポート（４）に接続されているバッテリがピックアップされることを許可するように構成されている、
ことを特徴とする、エネルギーステーション。
【請求項２３】
前記コントローラ（３）は、クイックレスポンス（ＱＲ）コードであると共に、前記ユーザエンドの前記電子装置でアプリケーションプログラムが起動され且つログインされた場合に前記ユーザエンドの前記電子装置によって表示される前記ユーザバーコードをスキャンするように構成されている、
請求項２２に記載のエネルギーステーション。
【請求項２４】
前記第２のリースコードに対応する１つの前記基準バッテリ識別子、及び、前記第２のリースコードは、１つの統合コードと、２つの個別コードの１つのセットとのいずれか一方として表されている、
請求項２２及び請求項２３のいずれか一項に記載のエネルギーステーション。
【発明の詳細な説明】
【技術分野】
【０００１】
本発明は、バッテリを充電する方法及びエネルギーステーションに関し、特に取り外し可能なバッテリ用のバッテリを充電する方法及びエネルギーステーションに関する。
【背景技術】
【０００２】
従来、電動輸送装置のバッテリが長期リースと短期リースとのどちらに属するかに関する情報は、ユーザがバッテリをエネルギーステーション、販売業者、又は、台湾特許第Ｉ５６０６３７号に開示されている分配機に持っていかない限り、電動輸送装置のユーザに不明なことがあり得る（例えば、ユーザが電動輸送装置の所有者ではない場合）。長期リースに登録されているバッテリは、販売業者で充電する必要があり、そして、短期リースに登録されているバッテリは、エネルギーステーションで交換する必要がある。これは不便であると共に、電動輸送装置の普及に対して悪影響を及ぼす。
【発明の概要】
【発明が解決しようとする課題】
【０００３】
したがって、本発明の目的は、従来技術の少なくとも１つの欠点を軽減することができるバッテリを充電する方法及びエネルギーステーションを提供することにある。
【課題を解決するための手段】
【０００４】
本発明の第１の態様によれば、充電する方法は、エネルギーステーションによって実行される。前記エネルギーステーションは、インターネットを介してクラウドサーバと通信することができる。前記クラウドサーバは、それぞれがバッテリに対応すると共に、第１のリースコード及び第２のリースコードのいずれか一方に対応する複数の基準バッテリ識別子を記憶する。前記方法は、
ユーザエンドのバッテリの提供されたバッテリ識別子を検出して、そして、前記提供されたバッテリ識別子を前記クラウドサーバに送信することにより、前記クラウドサーバが前記提供されたバッテリ識別子と一致する１つの前記基準バッテリ識別子を判定すると共に、このように判定された１つの前記基準バッテリ識別子が前記第１のリースコードと前記第２のリースコードとのどちらに対応するかを判定することを可能にするステップ（ａ）と、
このように判定された前記１つの前記基準バッテリ識別子が前記第１のリースコードに対応することが判定される場合に、前記ユーザエンドの前記バッテリを充電するように制御されるステップ（ｂ）と、を含む。
【０００５】
本発明の第２の態様によれば、エネルギーステーションは、コントローラと複数の充電ポートとを備えている。コントローラは、インターネットを介してクラウドサーバと通信することができる。前記クラウドサーバは、それぞれがバッテリに対応すると共に第１のリースコード及び第２のリースコードのいずれか一方に対応する複数の基準バッテリ識別子を記憶する。各前記充電ポートは、前記コントローラと電気的に接続されている。バッテリを充電しようとする１つの前記充電ポートは、前記バッテリの提供されたバッテリ識別子を検出し、前記提供されたバッテリ識別子を前記クラウドサーバにリレーする前記コントローラに送信することにより、前記クラウドサーバが前記提供されたバッテリ識別子と一致する１つの前記基準バッテリ識別子を判定すると共に、このように判定された１つの前記基準バッテリ識別子が前記第１のリースコードと前記第２のリースコードとのどちらに対応するかを判定することを可能にするように構成されている。前記コントローラは、このように判定された１つの前記基準バッテリ識別子が前記第１のリースコードに対応すると前記クラウドサーバによって判定される場合に、１つの前記充電ポートを制御して前記ユーザエンドの前記バッテリを充電するように構成されている。
【０００６】
本発明の第３の態様によれば、エネルギーステーションは、コントローラと複数の充電ポートとを備えている。コントローラは、インターネットを介してクラウドサーバと通信することができる。前記クラウドサーバは、それぞれがバッテリ及びピックアップパスワードに対応すると共に第１のリースコード及び第２のリースコードのいずれか一方に対応する複数の基準バッテリ識別子を記憶する。各前記充電ポートは、前記コントローラと電気的に接続されている。１つの前記充電ポートは、前記第１のリースコードに対応する１つの前記基準バッテリ識別子と一致する提供されたバッテリ識別子を有するユーザエンドのバッテリを充電するように構成されている。前記コントローラは、前記ユーザエンドからの入力を介してピックアップパスワードを取得し、このように取得された前記ピックアップパスワードを前記クラウドサーバに送信することにより、前記クラウドサーバが前記コントローラから受信した前記ピックアップパスワードが前記クラウドサーバに記憶されている前記１つの前記基準バッテリ識別子に対応する前記ピックアップパスワードと一致するか否かを判定することを可能にし、前記コントローラから受信した前記ピックアップパスワードが１つの前記基準バッテリ識別子に対応する前記ピックアップパスワードと一致することが前記クラウドサーバによって判定される、又は、前記ユーザエンドから取得した前記ピックアップパスワードが前記バッテリに記憶されているピックアップパスワードと一致すると前記コントローラによって判定される場合に、前記ユーザエンドの前記バッテリがピックアップされることを許可するように構成されている。
【０００７】
本発明の第４の態様によれば、エネルギーステーションは、コントローラと複数の充電ポートとを備えている。前記コントローラは、インターネットを介してクラウドサーバと通信することができる。前記クラウドサーバは、それぞれがバッテリ及びユーザエンド識別子に対応すると共に第１のリースコード及び第２のリースコードのいずれか一方に対応している複数の基準バッテリ識別子を記憶する。各前記充電ポートは、前記コントローラと電気的に接続されている。１つの前記充電ポートは、前記第１のリースコードに対応する１つの前記基準バッテリ識別子と一致する提供されたバッテリ識別子を有するユーザエンドのバッテリを充電するように構成されている。前記コントローラは、前記ユーザエンドの電子装置によって表示されると共に、前記ユーザエンドのユーザエンド識別子を表すユーザバーコードをスキャンすることにより、前記ユーザエンドの前記ユーザエンド識別子を取得し、取得された前記ユーザエンド識別子を前記インターネットを介して前記クラウドサーバに送信することにより、前記クラウドサーバが前記コントローラから受信した前記ユーザエンド識別子が前記クラウドサーバに記憶されている前記１つの基準バッテリ識別子に対応する前記ユーザエンド識別子と一致するか否かを判定することを可能にし、前記コントローラから受信した前記ユーザエンド識別子が前記１つの基準バッテリ識別子に対応する前記ユーザエンド識別子と一致すると前記クラウドサーバによって判定される場合に、前記ユーザエンドの前記バッテリがピックアップされることを許可するように構成されている。
【０００８】
本発明の第５の態様によれば、エネルギーステーションは、コントローラと複数の充電ポートとを備えている。前記コントローラは、インターネットを介してクラウドサーバと通信されるように構成されている。前記クラウドサーバは、それぞれがバッテリ及びユーザエンド識別子に対応すると共に第１のリースコード及び第２のリースコードのいずれか一方に対応する複数の基準バッテリ識別子を記憶する。各前記充電ポートは、前記コントローラと電気的に接続されている。１つの前記充電ポートは、前記第２のリースコードに対応する１つの前記基準バッテリ識別子と一致する提供されたバッテリ識別子を有するバッテリに接続されている。前記コントローラは、前記ユーザエンドの電子装置によって表示されると共に、前記ユーザエンドのユーザエンド識別子を表すユーザバーコードをスキャンすることにより、前記ユーザエンドの前記ユーザエンド識別子を取得し、取得された前記ユーザエンド識別子を前記インターネットを介して前記クラウドサーバに送信することにより、前記クラウドサーバが前記コントローラから受信した前記ユーザエンド識別子が１つの前記基準バッテリ識別子に対応する前記ユーザエンド識別子と一致するか否かを判定することを可能にし、そして、前記コントローラから受信した前記ユーザエンド識別子が１つの前記基準バッテリ識別子に対応する前記ユーザエンド識別子と一致することが前記クラウドサーバによって判定される場合に、１つの充電ポートに提供されたバッテリがピックアップされることを許可するように構成されている。
【０００９】
本発明の他の特徴および利点は、添付の図面を参照する以下の実施形態の詳細な説明において明白になるであろう。
【図面の簡単な説明】
【００１０】
【図１】本発明に係るエネルギーステーションによって充電されるバッテリを有する電動輸送装置の一実施形態を示す模式的側面図である。
【図２】電動輸送装置の踏み板の一実施形態を示す一部模式的斜視図である。
【図３】電動輸送装置の踏み板の下にあるバッテリボックス内に配置された２つの取り外し可能なバッテリの一実施形態を示す一部模式的斜視図である。
【図４】本発明に係るエネルギーステーションの一実施形態を示すブロック図である。
【図５】本発明に係るバッテリを充電する方法の一実施形態を示すフローチャートである。
【図６】本発明に係る方法におけるバッテリ充電の制御の一実施形態を示すフローチャートである。
【図７】本発明に係る方法におけるピックアップメッセージの送信の一実施形態を示すフローチャートである。
【発明を実施するための形態】
【００１１】
本発明をより詳細に説明する前に、適切と考えられる場合において、符号又は符号の末端部は、同様の特性を有し得る対応の又は類似の要素を示すために各図面間で繰り返し用いられることに留意されたい。
【００１２】
図１〜図３を参照して、本発明に係るエネルギーステーションによって再充電されるバッテリ２を有する電動輸送装置１の一実施形態が示されている。本実施形態では、電動輸送装置１は、電気自動二輪車、又は、電動スクーターとして実施されるが、電動輸送装置１の実施は、本明細書の開示に限定されず、他の実施形態において変更することができる。電動輸送装置１は、踏み板１１と、踏み板１１の下にある収容空間１１１に配置されたバッテリボックス１２と、を備えている。バッテリボックス１２は、電気運搬装置１のモータ（図示せず）によって昇降駆動される。踏み板１１は、バッテリボックス１２が上昇するように駆動されると開かれ、そしてバッテリボックス１２が下降するように駆動されると閉じられるように制御されている。本実施形態では、２つの取り外し可能なバッテリ２は、バッテリボックス１２内に配置されているが、バッテリ２の数量及び種類は、本明細書の開示に限定されず、他の実施形態において変更することができる。１つのバッテリ２が切れた場合に、バッテリ２のユーザは、エネルギーステーションでそれらを充電するために、１つのバッテリ２（以下、バッテリ２と呼ばれる）をバッテリボックス１２から取り出すことができる。
【００１３】
図４を参照して、本発明に係るエネルギーステーションの一実施形態が示されている。エネルギーステーションは、コントローラ３と、複数の充電ポート４と、複数のロックユニット５と、複数の充電コネクタ６と、を備えている。
【００１４】
コントローラ３は、インターネットを介してクラウドサーバ７と通信することができる。クラウドサーバ７は、それぞれがバッテリに対応すると共に、互いに異なっている第１のリースコード及び第２のリースコードのいずれか一方にそれぞれ対応する複数の基準バッテリ識別子を記憶する。本実施形態では、第１のリースコードは長期リースを表し、そして第２のリースコードは短期リースを表す。更に、各基準バッテリ識別子は、ピックアップパスワードに更に対応する。クラウドサーバ７は、それぞれが１つ又は複数の基準バッテリ識別子に対応する複数のユーザエンド識別子を更に記憶する。各ユーザエンド識別子は、電子装置を示す。更に、エネルギーステーションは、カメラ又はスキャナを備えた電子装置によってスキャンされるエネルギーステーション識別子を備えている。
【００１５】
コントローラ３は、パーソナルコンピュータ、ワークステーション、又は、ソフトウェア方式、及び／又は、ハードウェア方式で構成可能／プログラム可能な任意の電子装置／回路として実施され、本発明の機能を実施することができる。
【００１６】
特に、電動輸送装置１のバッテリ２は、製造コストにより高価であるので、電動輸送装置１のユーザは、一般的にバッテリ２を購入する代わりにレンタルする。バッテリをレンタルするためのバッテリリースの種類には、バッテリ２を長期間レンタルすることに対応する長期リースと、バッテリ２を短期間レンタルすることに対応する短期リースとが含まれる。バッテリ２を再充電するに当たって、長期リース契約したユーザは、バッテリを充電するために、バッテリ２をエネルギーステーションに持っていくことができる。一方、短期リース契約したユーザは、バッテリを交換するために、放電されたバッテリ２を電動輸送装置（例えば、自動車）製造業者によって設置されたエネルギーステーションに持っていくことができる。
【００１７】
各充電ポート４は、コントローラ３と電気的に接続されている。バッテリ２を充電しようとする１つの充電ポート４（例えば、いずれのバッテリにも現在接続されていない充電ポート４が、充電ポート４の近くに持ち運ばれたバッテリ２として、近くにあるバッテリ２の存在を検出する場合）は、ユーザエンドのバッテリ２の提供されたバッテリ識別子を検出し、提供されたバッテリ識別子をクラウドサーバ７にリレーするコントローラ３に、提供されたバッテリ識別子を送信することにより、クラウドサーバ７が提供されたバッテリ識別子と一致する１つの基準バッテリ識別子を特定すると共に、このように特定された１つの基準バッテリ識別子が前記第１のリースコードと第２のリースコードとのどちらに対応するかを判定することを可能にするように構成されている。
【００１８】
提供されたバッテリ識別子は、バッテリパックシリアル番号としても知られており、一般的には、バッテリ開発中に自動車製造業者によって識別目的でバッテリ２に記録されている。提供されたバッテリ識別子は、クイックレスポンス（ＱＲ）コードのような２次元（２Ｄ）バーコードとして表される。提供されたバッテリ識別子は、１つの充電ポート４のスキャナでスキャンするためにアクセスが容易であるバッテリ２の一部（例えば、バッテリ２の上端部）に貼り付けられた一枚の紙に２次元バーコードとして印刷され得る、或いは、バッテリ２と１つの充電ポート４のそれぞれの近距離無線通信（near-field communication、略称：ＮＦＣ）モジュールの間の無線通信を介して読み取られるように、バッテリ２の内部記憶装置に記憶され得る。特に、電動輸送装置１は、バッテリ２によって電力が供給され始めた後に、バッテリ２の内部記憶装置が、電力消費、バッテリの健全状態、残容量、満充電容量、バッテリの電圧、充放電電流、充電状態のサイクル数、充電時間、バッテリのソフトウェア／ハードウェアのシリアル番号のようなバッテリ２の使用関連データを記録するよう更に利用される。
【００１９】
電動輸送装置を販売業者で購入する際に、ユーザは、一般的に電子装置（例えば、携帯電話）で起動されるアプリケーションプログラムにログインすると共に、バッテリリースの種類（即ち、長期リース、又は、短期リース）といったユーザ関連データと、バッテリ２が充電された際にバッテリ２を取り戻すためのピックアップパスワードと、をクラウドサーバ７に登録する。クラウドサーバ７は、ユーザ関連データに基づいて、ＱＲコードとして表されるユーザエンド識別子を生成し、ユーザエンド識別子をユーザの電子装置に送信する。その後、販売業者のコンピュータは、ユーザの電子装置に表示されているＱＲコードスキャンすることによって、ユーザエンド識別子を取得し、クラウドサーバ７と通信することにより、ユーザエンド識別子に対応するピックアップパスワードを取得し、そして、近距離無線通信プロトコルに基づいて、ピックアップパスワードをバッテリ２の内部記憶装置に記録する。このようにして、ユーザ関連データと、バッテリ２の内部記憶装置に記憶されている内容とが結び付けられる。
【００２０】
一実施形態では、販売業者のコンピュータは、ユーザエンドのバッテリ上にあるＱＲコードをスキャンすることによって提供されたバッテリ識別子を取得し、提供されたバッテリ識別子とユーザエンド識別子を結び付け、そして、互いに結び付けられた提供されたバッテリ識別子とユーザエンド識別子をクラウドサーバ７に送信することで、提供されたバッテリ識別子を、販売業者で電動輸送装置を購入するユーザのユーザ識別子に対応する基準バッテリ識別子としてクラウドサーバ７が記憶することを可能にする。
【００２１】
ユーザがクラウドサーバ７に登録された場合であって、提供されたバッテリ識別子が販売業者によってクラウドサーバ７に送信された後、クラウドサーバ７は、ユーザのバッテリ２の提供されたバッテリ識別子（クラウドサーバ７における１つの基準バッテリ識別子とされる）と、ユーザによって契約されたバッテリリースの種類と、の間の対応関係を確立する。具体的に言えば、第１のアプローチでは、１つの基準バッテリ識別子と第１／第２のリースコードとが統合コードとして表される。例えば、統合コードが「３５１０ＡＡＧＤ７９８１１３１００１」である場合に、右側から９番目の文字「９」は長期リースを示し、そして、例えば、統合コードが「３１５０ＡＡＧＤ７８８１１３１００１」である場合に、右側から９番目の文字「８」は短期リースを示す。第２のアプローチでは、１つの基準バッテリ識別子と第１／第２のリースコードとが２つの個別コードとして表される。そして、２つの個別コードは互いに関連付けられている。基準バッテリ識別子と第１又は第２のリースコードと（即ち、統合コード又は２つの個別コードのセット）の間の対応関係は、バッテリ２の内部記憶装置にも記憶され得る。
【００２２】
ロックユニット５は、それぞれ充電ポート４に対応すると共に、充電するためのロック状態と、ピックアップのためにバッテリ２をリリースするためのロック解除状態と、の間に切り替えることができる。本実施形態では、各ロックユニット５は、ロック状態とロック解除状態との間に手動的に切り替えられるメカニカルロックとして実施されるが、ロックユニット５の実施は、本明細書の開示に限定されず、他の実施形態において変更することができる。例えば、一実施形態では、各ロックユニット５は、ロック状態とロック解除状態との間に切り替えることができるように、クラウドサーバ７によって実行された判定（どの基準バッテリ識別子が提供されたバッテリ識別子と一致するか、そして、このように判定された１つの基準バッテリ識別子が第１のリースコード及び第２のリースコードのどちらに対応するか、に関する判定）の結果を示すチャージ信号に従ってコントローラ３によって生成及び送信されるロック信号に基づいて制御される電子ロックであるように実施される。本実施形態では、バッテリをリリースするためにロック解除状態に切り替えられたロックユニット５は、バッテリ２が盗まれることを防止するように、バッテリ２がピックアップされない期間である所定期間が経過した後にロック状態に自動的に切り替えられる。
【００２３】
コントローラ３は、このように判定された１つの基準バッテリ識別子が第１のリースコードに対応するユーザエンドのバッテリ２の提供されたバッテリ識別子と一致することがクラウドサーバ７によって判定された場合に、クラウドサーバ７によって送信されたチャージ信号を受信すると共に、ユーザエンドのバッテリ２を充電するように、（バッテリ２を充電しようとする）１つの充電ポート４を制御するように構成されている。
【００２４】
一実施形態では、コントローラ３は、このように判定された１つの基準バッテリ識別子が第１のリースコードに対応することがクラウドサーバ７によって判定された場合に、（バッテリ２を充電しようとする）１つの充電ポート４を制御して、ユーザエンドのバッテリ２を充電するように、クラウドサーバ７からピックアップパスワードを受信するように構成されている。
【００２５】
具体的には、バッテリ２を充電しようとする１つの充電ポート４に対応する１つのロックユニット５は、コントローラ３によるチャージ信号に基づく制御の下で、ロック状態に切り替わることにより、１つの充電ポート４のバッテリスロットの内に配置されたユーザエンドのバッテリ２をロックすると共に、ユーザエンドのバッテリ２を充電するために、ユーザエンドのバッテリ２と１つの充電ポート４との間の電気接続を確立するように構成されている。
【００２６】
コントローラ３は、１つの充電ポート４がユーザエンドのバッテリ２を充電した場合に、チャージアップ信号をクラウドサーバ７に送信することにより、クラウドサーバ７がチャージアップ信号に基づいて、ピックアップメッセージを、エネルギーステーションのコントローラ３とクラウドサーバ７によって判定された１つの基準バッテリ識別子に対応するユーザエンド識別子によって示される電子装置とに送信することを可能にするように構成されている。
【００２７】
各充電コネクタ６は、コントローラ３と電気的に接続されていると共に、電動輸送装置を充電するように構成されている。
【００２８】
一実施形態では、エネルギーステーションは、図４に示されているように、それぞれがバッテリ２を直接充電するように構成された複数の充電装置を更に備えている。
【００２９】
図５を参照して、本発明に係るバッテリを充電する方法の一実施形態が示されている。該方法は、前述したエネルギーステーションによって実施されている。該方法は、以下に説明されるステップ９１〜９８を含む。
【００３０】
ステップ９１において、エネルギーステーションの再充電される又は交換されるユーザエンドのバッテリ２を充電しようとする１つの充電ポート４（以下、対応する１つの充電ポート４と呼ばれる）（例えば、バッテリ２は、対応する１つの充電ポート４と、対応する１つの充電ポート４に対応するロックユニット５と、に物理的接触させ、そして、該ロックユニット５は、ロック解除状態であるので、バッテリ２と対応する１つの充電ポート４との間に電気的接続が確立されていない。）は、ユーザエンドのバッテリ２の提供されたバッテリ識別子を検出し、そして、提供されたバッテリ識別子をコントローラ３に送信する。
【００３１】
ステップ９２において、エネルギーステーションのコントローラ３は、提供されたバッテリ識別子をクラウドサーバ７に送信することにより、クラウドサーバ７が提供されたバッテリ識別子と一致する１つの基準バッテリ識別子を判定すると共に、このように判定された１つの基準バッテリ識別子が第１のリースコードと第２のリースコードとのどちらに対応するかを判定することを可能にする。このように判定された１つの基準バッテリ識別子が第１のリースコード（即ち、長期リース）に対応することがクラウドサーバ７によって判定される場合に、バッテリ２を充電することが許可されていることを意味し、そして、該方法の手順のフローは、ステップ９３に進む。一方、このように判定された１つの基準バッテリ識別子が第２のリースコード（即ち、短期リース）に対応することがクラウドサーバ７によって判定される場合に、バッテリ２が短期リースに属し、満充電のバッテリと交換され得ることを意味し、そして、フローは、ステップ９７に進む。
【００３２】
ステップ９３において、エネルギーステーションは、ユーザエンドのバッテリ２を充電するように制御される。具体的には、図６に示されているように、ステップ９３は、以下のように説明されるサブステップ９３１及びサブステップ９３２を含む。
【００３３】
サブステップ９３１において、コントローラ３は、このように判定された１つの基準バッテリ識別子が第１のリースコードに対応することがクラウドサーバ７によって判定される場合に、クラウドサーバ７によって送信されたチャージ信号を受信する。クラウドサーバ７は、チャージ信号をこのように判定された１つの基準バッテリ識別子に対応するユーザエンド識別子によって示される電子装置に更に送信する。
【００３４】
サブステップ９３２において、コントローラ３による制御下でチャージ信号に基づいて、対応する１つの充電ポート４に対応する１つのロックユニット５は、ロック状態に切り替えられることができることにより、ユーザエンドのバッテリ２を対応する１つの充電ポート４にロックすると共に、ユーザエンドのバッテリ２を充電するために、ユーザエンドのバッテリ２と対応する１つの充電ポート４との間の電気接続を確立する。クラウドサーバ７からチャージ信号を受信した電子装置を所有するユーザは、ロックユニット５を手動で操作してロック状態に切り替えるように促され得る。
【００３５】
一実施形態では、バッテリ２を充電するための電気的接続が確立される場合に、ユーザエンドのバッテリ２に接続される対応する１つの充電ポート４に対応する標識灯(図示せず)は、発光するようにトリガーされる。しかしながら、充電状態表示の実施は、本明細書の開示に限定されず、他の実施形態において変更することができる。
【００３６】
一実施形態では、このように判定された１つの基準バッテリ識別子が第１のリースコードに対応することがクラウドサーバ７によって判定される場合に、エネルギーステーションのコントローラ３は、クラウドサーバ７からユーザエンドのバッテリ２に対応するピックアップパスワードを受信することにより、ロック信号を送信して電子ロックとして実施されるロックユニット５をロック状態に切り替えることによってユーザエンドのバッテリ２を充電するように制御される。クラウドサーバ７がエネルギーステーションを制御してバッテリ２を充電する方法は、本明細書の開示に限定されず、他の実施形態において変更することができる。
【００３７】
図５を再び参照すると、ステップ９４において、対応する１つの充電ポート４がユーザエンドのバッテリ２を充電した際に、エネルギーステーションのコントローラ３は、クラウドサーバ７がピックアップメッセージをコントローラ３とこのように判定された１つの基準バッテリ識別子に対応する１つのユーザエンド識別子によって示される電子装置（例えば、モバイル装置）に送信することを可能にする。
【００３８】
具体的には、図７に示されているように、ステップ９４は、以下のように説明されるサブステップ９４１及びサブステップ９４２を含む。
【００３９】
サブステップ９４１において、対応する１つの充電ポート４がユーザエンドのバッテリ２を充電した際に、コントローラ３はチャージアップ信号をクラウドサーバ７に送信する。
【００４０】
サブステップ９４２において、クラウドサーバ７は、チャージアップ信号に基づいて、ピックアップメッセージをエネルギーステーションのコントローラ３及びこのように判定された１つの基準バッテリ識別子に対応する１つのユーザエンド識別子によって示される電子装置（即ち、モバイル装置）に送信する。ピックアップメッセージによって通知され、ユーザは、エネルギーステーションで充電されたバッテリ２をピックアップするためにピックアップパスワードを入力するように促される。
【００４１】
図５を再び参照すると、ステップ９５において、コントローラ３は、ユーザエンドからの入力を介してピックアップパスワードを取得し、そして、このように取得されたピックアップパスワードをクラウドサーバ７に送信することにより、クラウドサーバ７がコントローラ３から受信されたピックアップパスワードがクラウドサーバ７に記憶されている１つの基準バッテリ識別子に対応するピックアップパスワードと一致するか否かを判定することを可能にする。或いは、本実施形態の変形例では、コントローラ３は、ユーザエンドから取得したピックアップパスワードがユーザエンドのバッテリ２に記憶されているピックアップパスワードと一致するか否かを判定するように構成される。
【００４２】
ステップ９６において、コントローラ３は、クラウドサーバ７によってコントローラ３から受信されたピックアップパスワードが１つの基準バッテリ識別子に対応するピックアップパスワードと一致すると判定される、或いは、コントローラ３によってユーザエンドから取得されたピックアップパスワードがバッテリ２に記憶されているピックアップパスワードと一致すると判定される場合に、ユーザエンドのバッテリ２がピックアップされることを許可する。そして、１つのロックユニット５は、ユーザによって操作されてロック解除状態に切り替えることができることにより、ピックアップのためにユーザエンドのバッテリ２をリリースすると共に、バッテリ２と対応する１つの充電ポート４との間の電気的接続を切断する。この際に、対応する標識灯は、オフである。特に、バッテリ２をリリースする実施は、本明細書の開示に限定されず、他の実施形態において変更することができる。
【００４３】
ステップ９７において、ステップ９２においてクラウドサーバ７によって、このように判定された１つの基準バッテリ識別子が第２のリースコードに対応すると判定される場合に、クラウドサーバ７は、電子装置上で起動されると共に、自動車製造業者によって提供されるアプリケーションプログラムによって、ユーザが電子装置を制御して、エネルギーステーション識別子のスキャンを実行することを促し、そして、エネルギーステーション識別子（ＱＲコードとして表され得る）をクラウドサーバ７に送信するように、このように判定された１つの基準バッテリ識別子に対応する１つのユーザエンド識別子によって示される電子装置にプロンプトメッセージを送信する。
【００４４】
ステップ９８において、エネルギーステーション識別子に基づいて、クラウドサーバ７は、エネルギーステーション識別子に対応するエネルギーステーションのコントローラ３を制御して交換メッセージを表示する。交換メッセージは、ユーザエンドのバッテリ２をエネルギーステーションに記憶されている別の満充電したバッテリと交換することを促す。交換メッセージは、どの充電ポート４に別の上記満充電したバッテリが配置されているかを指すように表示され得、そして、２つのバッテリを交換した後に、１つの充電ポート４（電池切れのバッテリ２に現在接続されている）がコントローラ３によって制御され、バッテリ２を充電する。特に、単一のユーザが短期リースでレンタルすることを許可されるバッテリの数量は、１つに限定されず、ユーザエンドの要求に応じて変更することができる。
【００４５】
一実施形態では、エネルギーステーションは、インターネットを介してクラウドサーバ７と通信するように構成されているコントローラ３と、それぞれコントローラ３に電気的に接続されている複数の充電ポート４と、を備えている。クラウドサーバ７は、それぞれがバッテリとユーザエンド識別子とに対応する複数の基準バッテリ識別子を記憶すると共に、第１のリースコード及び第２のリースコードのいずれか一方に対応する。１つの充電ポート４は、第１のリースコードに対応する１つの基準バッテリ識別子と一致する提供されたバッテリ識別子を有するユーザエンドのバッテリ２を充電するように構成される。コントローラ３は、ユーザエンドの電子装置によって表示されると共に、ユーザエンドのユーザエンド識別子を表すユーザバーコードをスキャンすることにより、ユーザエンドのユーザエンド識別子を取得するように構成される。本実施形態では、ユーザバーコードは、ＱＲコードであり、且つ、電子装置でアプリケーションプログラムが起動されログインされた際に、ユーザエンドの電子装置によって表示される。コントローラ３は、インターネットを介してこのように取得されたユーザエンド識別子をクラウドサーバ７に送信することにより、クラウドサーバ７がコントローラ３から受信されたユーザエンド識別子がクラウドサーバ７に記憶されている１つの基準バッテリ識別子に対応するユーザエンド識別子と一致するか否かを判定することを可能にするように構成される。１つの基準バッテリ識別子、及び、第１のリースコードは、１つの統合コードと２つの個別コードとのいずれか１つとして表されている。コントローラ３は、クラウドサーバ７によって、コントローラ３から受信されたユーザエンド識別子が、１つの基準バッテリ識別子に対応するユーザエンド識別子と一致すると判定される場合に、ユーザエンドのバッテリ２がピックアップされることを許可するように更に構成されている。
【００４６】
本実施形態の変形例では、コントローラ３は、それぞれがユーザエンド識別子に対応する基準バッテリ識別子をまた記憶する。コントローラ３は、コントローラ３によって取得されたユーザエンド識別子がコントローラ３に記憶されていると共にバッテリ２の提供されたバッテリ識別子と一致する１つの基準バッテリ識別子に対応するユーザエンド識別子と一致するか否かを判定すると共に、コントローラ３によって取得されたユーザエンド識別子が１つの基準バッテリ識別子に対応するユーザエンド識別子と一致すると判定される場合に、ユーザエンドのバッテリ２がピックアップされることを許可するように構成されている。
【００４７】
一実施形態では、エネルギーステーションは、インターネットを介してクラウドサーバ７と通信するように構成されているコントローラ３と、それぞれがコントローラ３と電気的に接続されている複数の充電ポート４と、を備えている。クラウドサーバ７は、それぞれがバッテリ及びユーザエンド識別子に対応する複数の基準バッテリ識別子を記憶すると共に、第１のリースコード及び第２のリースコードのいずれか一方に対応する。第２のリースコードに対応する１つの基準バッテリ識別子、及び、第２のリースコードは、１つの統合コードと２つの個別コードの１つのセットとのいずれか一方として表されている。１つの充電ポート４は、第２のリースコードに対応する１つの基準バッテリ識別子と一致する提供されたバッテリ識別子を有するバッテリに接続される。コントローラ３は、ユーザエンドのユーザエンド識別子を取得するように、ユーザエンドの電子装置によって表示されていると共に、ユーザエンドのユーザエンド識別子を表すユーザバーコードをスキャンするように構成されている。本実施形態では、ユーザバーコードは、ＱＲコードであり、且つ、アプリケーションプログラムが電子装置で起動されてログインした際に、ユーザエンドの電子装置によって表示される。コントローラ３は、クラウドサーバ７がコントローラ３から受信されたユーザエンド識別子が、１つの基準バッテリ識別子に対応するユーザエンド識別子と一致するか否かを判定することを可能にするように、インテーネットを介してこのように取得されたユーザエンド識別子をクラウドサーバ７に送信するように構成されている。コントローラ３は、クラウドサーバ７によって、コントローラ３から受信されたユーザエンド識別子が、１つの基準バッテリ識別子に対応するユーザエンド識別子と一致すると判定さる場合に、１つの充電ポート４と電気的に接続しているバッテリがピックアップされることを許可するように構成されている。
【００４８】
総括すると、本発明に係るバッテリを充電する方法は、エネルギーステーションを利用して、ユーザエンドのバッテリ２の提供されたバッテリ識別子を検出し、そして、提供されたバッテリ識別子をクラウドサーバ７に送信することにより、クラウドサーバ７がバッテリがどのリースの種類に対応するかを判定することを実行することを可能にする。判定の結果に基づいて、エネルギーステーションは、ユーザエンドのバッテリ２を充電する、または、バッテリを交換することを許可するように制御される。したがって、バッテリ２のユーザにとって、バッテリ２がどのリースの種類に属するかを知る必要がなく、エネルギーステーションは、自動的にバッテリ２を充電する、又は、バッテリを交換することを許可するので便利である。また、バッテリ２を充電しようとしている充電ポート４に対応するロックユニット５は、バッテリ２を充電ポート４にロックし、且つ、バッテリ２が充電されると共に、ピックアップパスワードが正しく入力された後に、バッテリ２をリリースすることができる。
【００４９】
上記の説明では、説明の目的のために、実施形態の完全な理解を提供するために多数の特定の詳細が述べられた。しかしながら、しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、本発明の多面性が理解されることを目的としたものであり、また、一実施形態における一またはそれ以上の特徴あるいは特定の具体例は、適切な場合には、本開示の実施において、他の実施形態における一またはそれ以上の特徴あるいは特定の具体例と共に実施され得る。
【００５０】
以上、本発明の好ましい実施形態および変化例を説明したが、本発明はこれらに限定されるものではなく、最も広い解釈の精神および範囲内に含まれる様々な構成として、全ての修飾および均等な構成を包含するものとする。
【図１】
2019198215.tif 000003
【図２】
2019198215.tif 000004
【図３】
2019198215.tif 000005
【図４】
2019198215.tif 000006
【図５】
2019198215.tif 000007
【図６】
2019198215.tif 000008
【図７】
2019198215.tif 000009
【外国語明細書】
2019198215000001.pdf